(57)【要約】【課題】ユーザごとに表示する情報を変えることなく、必要最小限の情報のみを提示するだけで、ユーザに情報機器などの操作情報をわかりやすく提供することが可能なマニュアル作成方法及び装置を提供すること。【解決手段】  電子機器の操作説明を記載するマニュアルを作成するマニュアル作成方法であって、電子機器の操作説明を行うテキスト情報からキーワードを検索し、前記キーワードに関する詳細情報が保持されるデータベースから、前記キーワードに対応する動作表現及び動作画像を取得し、表示ルールに基づいて、前記キーワード、前記動作表現、前記動作画像を予め設定された箇所に表示することで解決できる。【選択図】図３
2006164122.tif 000002
【特許請求の範囲】
【請求項１】
電子機器の操作説明を記載するマニュアルを作成するマニュアル作成方法であって、
電子機器の操作説明を行うテキスト情報からキーワードを検索し、前記キーワードに関する詳細情報が保持されるデータベースから、前記キーワードに対応する動作表現及び動作画像を取得し、表示ルールに基づいて、前記キーワード、前記動作表現、前記動作画像を予め設定された箇所に表示すること
を特徴とするマニュアル作成方法。
【請求項２】
キーワードは、電子機器の操作説明を行う際に必須な用語であることを特徴とする請求項１記載のマニュアル作成方法。
【請求項３】
キーワードに関する詳細情報が保持されるデータベースは、前記キーワードに関連する動作表現及び動作画像を少なくとも１つ以上保持すること
を特徴とする請求項１または２記載のマニュアル作成方法。
【請求項４】
表示ルールは、動作画像の表示順位に基づき、前記キーワード、前記動作表現、前記動作画像が時系列に表示されるように設定されていること
を特徴とする請求項１〜３の何れか一項に記載のマニュアル作成方法。
【請求項５】
電子機器の操作説明を記載するマニュアルを作成するマニュアル作成装置であって、
電子機器の操作説明を行うテキスト情報からキーワードの検索を行うキーワード検索部と、前記キーワードに関する動作表現及び動作画像を保持する動作情報保持部と、キーワード、動作表現、動作画像を表示するルールが保持される表示ルール記録部と、前記表示ルール記録部に基づいて前記キーワード、前記動作表現、前記動作画像を所定箇所に配置することで、電子機器のマニュアルを作成するマニュアル作成部とを備えること
を特徴とするマニュアル作成装置。
【発明の詳細な説明】
【技術分野】
【０００１】
本発明は、マニュアル作成方法に関し、特に複雑な作業を要する電子機器の操作を、利用者に対して効果的に提示することが可能なマニュアル作成方法及び装置である。
【背景技術】
【０００２】
近年、携帯電話やカーナビゲーションシステムなどの電子機器は、目覚しい発展を遂げ、その市場規模を急速に拡大しつつある。特に携帯電話においては、本来の通話としての機能だけではなく、メール機能や着信メロディー機能、最近では画像／映像の送受信機能など、利用者に魅力的なサービを提供することで、右肩上がりの成長を遂げている。
【０００３】
このように、利用者が当該電子機器を操作しようとする場合、電子機器に付属の説明書（以下「マニュアル」と称す）から所望の操作個所を探し出し、所望の操作を行う必要がある。しかしながら、前述するように電子機器が多機能化傾向にあると、一般に、当該電子機器に付属のマニュアルの厚さが増すことになる。そのような状況で利用者は、当該マニュアルの中から所望の操作に関する説明を見付け出し、文章が大半のマニュアルを理解することになり、多大な負荷を強いることになっている。
【０００４】
そこで、マニュアルの作成方法に特徴を有する関連技術として、例えば特許文献１に記載の「マニュアル作成装置」がある。この発明は、ユーザの理解度に応じて操作個所の理解を促進させるだけでなく、情報量の観点から無駄の無い操作マニュアルをユーザに提供するというものである。
【０００５】
具体的には、図１に示すように、システム動作に必要な諸情報を入力する入力部１１、入出力情報の制御を行う制御部１２、各種情報の解析／処理を行う処理部１３、ディスプレーなどに必要情報を出力する出力部１４の他に、ユーザの行おうとしているタスクを特定するタスク特定部１５と、ユーザの操作履歴の情報を記録する履歴情報記録部１８と、履歴情報記録手段８に記録されているユーザ操作履歴を解析することで前記タスク特定手段において特定されたタスクを遂行する際のユーザ操作の問題箇所を特定する問題箇所特定部１７と、標準的なマニュアル情報を記録したマニュアル情報記録部１９と、問題箇所特定部１７によって特定された問題箇所の情報とマニュアル情報記録部１９に記録されている情報とから特定されたタスクを遂行するためのマニュアル情報を作成するマニュアル情報作成部１６とを備える構成としている。
【０００６】
このような装置を用いることで、ユーザの操作において不適切と思われる問題箇所を反映したマニュアルを作成することが可能となる。
【０００７】
また、一般的にマニュアルは、図２のように、操作の内容ごとに複数の図面が提示され、操作の順に沿って文章で詳細に操作の内容が記載されている。
【特許文献１】特開２０００−２５９２８０公報
【発明の開示】
【発明が解決しようとする課題】
【０００８】
しかしながら、上記の従来技術は、ユーザごとの理解度に応じて操作箇所の理解を促進させる発明であり、ユーザごとに表示方法を変更することから、マニュアル作成装置自体の処理能力に負担が掛かり、ユーザの人数が増えると必要な情報をモニタなどに表示するまでの時間が掛かる可能性が高くなることになる。また、ユーザごとに様々の諸情報をマニュアル作成装置が保持することになることから、データ量が莫大に増大することになり、装置に対するコストが高くなるという問題を生じる可能性がある。
【０００９】
また、確かに図２に示すように、図面を参照しながら文章にて詳細に操作内容を説明することも良いかも知れないが、多量の情報をユーザに表示することは、往々にして、ユーザを混乱させる結果となることが多く、情報量の多さの割には、ユーザの理解度は低い場合が多々ある。
【００１０】
本発明は、上記従来の問題点を解決するもので、ユーザごとに表示する情報を変えることなく、必要最小限の情報のみを提示するだけで、ユーザに情報機器などの操作情報をわかりやすく提供することが可能なマニュアル作成方法及び装置を提供することを目的とする。
【課題を解決するための手段】
【００１１】
上記の目的を達成するために、請求項１に記載されたマニュアル作成方法は、電子機器の操作説明を記載するマニュアルを作成するマニュアル作成方法であって、
電子機器の操作説明を行うテキスト情報からキーワードを検索し、前記キーワードに関する詳細情報が保持されるデータベースから、前記キーワードに対応する動作表現及び動作画像を取得し、表示ルールに基づいて、前記キーワード、前記動作表現、前記動作画像を予め設定された箇所に表示することを特徴とする。
【００１２】
また、請求項２に記載されたマニュアル作成方法は、請求項１に係るマニュアル作成方法において、キーワードは、電子機器の操作説明を行う際に必須な用語であることを特徴とする。
【００１３】
また、請求項３に記載されたマニュアル作成方法は、請求項１または２に記載のマニュアル作成方法において、キーワードに関する詳細情報が保持されるデータベースは、前記キーワードに関連する動作表現及び動作画像を少なくとも１つ以上保持することを特徴とする。
【００１４】
また、請求項４に記載されたマニュアル作成方法は、請求項１〜３の何れか一項に係るマニュアル作成方法において、表示ルールは、動作画像の表示順位に基づき、前記キーワード、前記動作表現、前記動作画像が時系列に表示されるように設定されていることを特徴とする。
【００１５】
更に、請求項５に記載されたマニュアル作成装置は、電子機器の操作説明を記載するマニュアルを作成するマニュアル作成装置であって、電子機器の操作説明を行うテキスト情報からキーワードの検索を行うキーワード検索部と、前記キーワードに関する動作表現及び動作画像を保持する動作情報保持部と、キーワード、動作表現、動作画像を表示するルールが保持される表示ルール記録部と、前記表示ルール記録部に基づいて前記キーワード、前記動作表現、前記動作画像を所定箇所に配置することで、電子機器のマニュアルを作成するマニュアル作成部とを備えることを特徴とする。
【発明の効果】
【００１６】
以上のように、本発明のマニュアル作成方法及び装置によれば、ユーザに必要最小限の情報を提示するだけで、ユーザに情報機器などの操作情報をわかりやすく提供することが可能となる。
【発明を実施するための最良の形態】
【００１７】
（実施の形態）
図３に本発明に係るマニュアル作成装置のブロック図を示す。このマニュアル作成装置は、入力部３１，処理部３２，制御部３３，キーワード保持部３４，動作表現保持部３５，動作画像保持部３６，表示ルール保持部３７及び出力部３８で構成される。
【００１８】
まず、上記マニュアル作成装置の各構成要件（３１〜３８）について説明する。入力部３１は、マニュアルデータ（テキスト情報）をマニュアル作成装置に入力する役割を有し、処理部３２は、後述する制御部３３からの指示に則って、マニュアルデータからキーワードを抽出したり、前記キーワードに関連する動作表現をマニュアルデータから抽出し、前記キーワードと前記動作表現とを紐付けたりする機能を有する。
【００１９】
また、制御部３３は、
（ア）入力部３１から入力されたマニュアルデータから、キーとなる用語（キーワード）を検索するように処理部３２に指示する機能や、
（イ）検索されたキーワードを後述するキーワード保持部３４に保持するように指示する機能や、
（ウ）後述するキーワード保持部３４に保持されたキーワードを基に、マニュアルデータから前記キーワードに関連する動作表現を検索するように処理部３２に指示する機能や、
（エ）検索された動作表現を後述する動作表現保持部３５に保持するように指示する機能や、
（オ）後述するキーワード保持部３４に保持されたキーワードを基に、マニュアルデータから前記キーワードに関連する動作画像を検索するように処理部３２に指示する機能や、
（カ）検索された動作画像を後述する動作画像保持部３６に保持するように指示する機能や、
（キ）後述するキーワード保持部３４に保持されたキーワード、後述する動作表現保持部３５に保持された動作表現、後述する動作画像保持部３６に保持された動作画像の各情報を、後述する表示ルール保持部３７に保持される表示ルールに則って表示する機能や、
（ク）後述する出力部３８に上記（キ）で表示した内容を出力する機能
を有する。また、キーワード保持部３４は、制御部３３からの指示により、マニュアルデータから抽出したキーワードを保持するものであり、動作表現保持部３５は、制御部３３からの指示によってマニュアルデータから抽出された動作表現を保持するものである。また、動作画像保持部３６も、キーワード保持部３４や動作表現保持部３５と同様に、制御部３３からの指示によってマニュアルデータから抽出された動作画像を保持するものである。
【００２０】
また、表示ルール保持部３７は、例えば、カーステレオ，カーナビゲーション，携帯電話など、各用途に応じて決められた表示方法（枠体）を保持するものである。更に、出力部３８は、制御部３３からの指示により、キーワード保持部３４，動作表現保持部３５及び動作画像保持部３６で保持する各種情報を、表示ルール保持部３７の表示ルールに則って出力するものである。
【００２１】
以下、図４〜９を参照しながら、本実施形態の具体的な動作仕様を詳述する。
【００２２】
まず、図４において、入力部３１から既存のマニュアルテキスト情報を入力（ステップ４１）する。このときのマニュアルテキスト情報は、例えば、図５に示すような構成であり、基本的に操作方法が順番に一行ごとに記載されている。入力されたマニュアルテキスト情報は、操作順（一行ごと）に、キーワードを抽出する（ステップ４２）。キーワードは基本的には動詞（本実施の形態の場合には、「Ｐｒｅｓｓ」（押す）という文言）を検索するものとする。検出されたキーワードは、一旦、キーワード保持部３４に保持される（ステップ４３）。
【００２３】
次に、（ステップ４３）にてキーワード保持部３４で保持されたキーワードを基に、マニュアルテキスト情報から動作表現と動作画像を抽出する。具体的には、本実施の形態の場合、マニュアルテキスト情報の第１行目に「Ｐｒｅｓｓ［ＢＡＮＤ］ｔｏ  ｃｈａｎｇｅ  ｔｏ  ＡＭ  ｍｏｄｅ」という表現があり、この行のキーワード（Ｐｒｅｓｓ）に関連する動作表現は［ＢＡＮＤ］となる。すなわち、動作表現にはカッコ（［］）によって表現されるものと定義しておく。更に、動作表現［ＢＡＮＤ］と関連する画像を予め定義しておき、図６（ａ）の最右欄にあるような画像との紐付けを行う。
【００２４】
このようにして、マニュアルテキスト情報の第２行目から第７行目の全ての行に対して、キーワードに関連する動作表現を抽出し、各動作表現に応じて予め定義された画像との紐付けを行う（図６参照のこと）。更に、図７のように、動作表現から動作画像（いわゆる「使用例」を示すもの）を紐付ける。そして、前述した動作表現と動作画像のデータを動作表現保持部３５と動作画像保持部３６でそれぞれ保持する（ステップ４５）。
【００２５】
最後に、各用途に応じて決められた表示方法（枠体）から、必要な枠体を選択した後（ステップ４６）、動作表現保持部３５と動作画像保持部３６にて保持された各情報を、表示ルール保持部３７に保持される表示ルールに則って表示する（ステップ４７）。本実施の形態の場合、カーステレオを示していることから、図８（ａ）のような枠体が選択され、最終的には、図９に示すような、単純明快なマニュアルを作成することができる。
【００２６】
図９に示すマニュアルは、対象物（カーステレオ）の全体像を示す表示領域（図９の上段）と、動作表現（図９の左側）と動作画像（図９の右側）のみで簡潔に表現しており、万人に代わりやすく機器の操作方法を伝えることができる。
【産業上の利用可能性】
【００２７】
本発明のマニュアル作成方法及び装置は、ユーザによって複雑に思えるマニュアル情報を、視覚的に簡潔に表現することを可能とすることから、携帯電話などの携帯端末や、一般のＯＡ（Ｏｆｆｉｃｅ  Ａｕｔｏｍａｔｉｏｎ）機器、アプリケーションソフトなどの操作が複雑な情報機器、その他家電などの様々な機器に適用することができる。
【図面の簡単な説明】
【００２８】
【図１】従来例のマニュアル作成装置に係る構成を示す図
【図２】従来例のマニュアルを示す図
【図３】本実施の形態に係るマニュアル作成装置に係る構成を示す図
【図４】本実施の形態に係るマニュアル作成手順を示す図
【図５】本実施の形態に係るマニュアルテキスト情報を示す図
【図６】本実施の形態に係るキーワードと動作表現との紐付けを示す図
【図７】本実施の形態に係るキーワードと動作画像との紐付けを示す図
【図８】本実施の形態に係る表示ルールを示す図
【図９】本実施の形態に係るマニュアル作成装置にて作成されたマニュアルを示す図
【符号の説明】
【００２９】
３１  入力部
３２  処理部
３３  制御部
３４  キーワード保持部
３５  動作表現保持部
３６  動作画像保持部
３７  表示ルール保持部
３８  出力部
【図１】
2006164122.tif 000003
【図２】
2006164122.tif 000004
【図３】
2006164122.tif 000005
【図４】
2006164122.tif 000006
【図５】
2006164122.tif 000007
【図６】
2006164122.tif 000008
【図７】
2006164122.tif 000009
【図８】
2006164122.tif 000010
【図９】
2006164122.tif 000011